(57)【要約】      （修正有）【課題】温度や湿度を測定するセンサー部と比較や演算を行いテーブルサーチするきこうを持ったデータ処理部が分離可能とした炉短計測法および露点計を提供する。【解決手段】データー処理部１０に予め温度と湿度に対応させて露点温度を示す露点温度テーブル２４ａを準備し、センサー部３０で温度と湿度の測定値を求め、センサー部３０からデーター処理部１０に温度と湿度の測定値を送り、その後データー処理部１０で温度と湿度の測定値から露点温度テーブル２４ａ上でテーブルサーチすることによって露点温度の値を求めた。【選択図】  図１
2007114166.tif 000002
【特許請求の範囲】
【請求項１】
データー処理部（１０、１０Ａ、１０Ｂ）に予め温度と湿度に対応させて露点温度を示す露点温度テーブル（２４ａ）を準備し、センサー部（３０、３０Ａ、３０Ｂ、３０Ｃ、３０Ｆ、３０Ｇ、３０Ｊ、３０Ｋ、３０Ｌ、３０Ｍ、３０Ｒ）で温度と湿度の測定値を求め、前記センサー部（３０、３０Ａ、３０Ｂ、３０Ｃ、３０Ｆ、３０Ｇ、３０Ｊ、３０Ｋ、３０Ｌ、３０Ｍ、３０Ｒ）から前記データー処理部（１０、１０Ａ、１０Ｂ）に温度と湿度の前記測定値を送り、その後前記データー処理部（１０、１０Ａ、１０Ｂ）で温度と湿度の前記測定値から前記露点温度テーブル（２４ａ）上でテーブルサーチすることによって露点温度の値を求めることを特徴とする露点測定法。
【請求項２】
テーブルサーチは、温度と湿度の前記測定値から、前記露点温度テーブル（２４ａ）に示されている温度と湿度の各値に最も近接した一点を確定し、その一点の温度と湿度に対応した露点温度の値を求めることを特徴とする請求項１に記載の露点測定法。
【請求項３】
テーブルサーチは、温度と湿度の前記測定値のうちの湿度の前記測定値から、前記露点温度テーブル（２４ａ）に示されている湿度の値に最も近接した湿度の値を確定し、温度の前記測定値と確定した湿度の値から、前記露点温度テーブル（２４ａ）に示されている温度と湿度の値に最も近接した二点を確定し、その二点の温度と湿度に対応した露点温度の値を求め、その二点の露点温度の値から比例配分によって温度の前記測定値と確定した湿度の値の露点温度の値を求めることを特徴とする請求項１に記載の露点測定法。
【請求項４】
テーブルサーチは、温度と湿度の前記測定値から、前記露点温度テーブル（２４ａ）に示されている温度と湿度の値に最も近接した四点を確定し、その四点の温度と湿度に対応した露点温度の値を求め、その四点の露点温度の値から比例配分によって温度と湿度の前記測定値の露点温度の値を求めることを特徴とする請求項１に記載の露点測定法。
【請求項５】
前記センサー部（３０、３０Ａ、３０Ｂ、３０Ｃ、３０Ｆ、３０Ｇ、３０Ｊ、３０Ｋ、３０Ｌ、３０Ｍ、３０Ｒ）と前記データー処理部（１０、１０Ａ、１０Ｂ）は分離することが可能であり、前記センサー部（３０、３０Ａ、３０Ｂ、３０Ｃ、３０Ｆ、３０Ｇ、３０Ｊ、３０Ｋ、３０Ｌ、３０Ｍ、３０Ｒ）と前記データー処理部（１０、１０Ａ、１０Ｂ）を接続することが可能であることを特徴とする請求項１ないし請求項４の何れか１項に記載の露点測定法。
【請求項６】
前記露点温度テーブル（２４ａ）は、着脱可能な不揮発性メモリ（２４）に記憶させたものであり、前記不揮発性メモリ（２４）には、時系列的に温度と湿度の前記測定値をも併せて記憶することを特徴とする請求項１ないし請求項５の何れか１項に記載の露点測定法。
【請求項７】
温度と湿度の前記測定値によって求めた露点温度の値が定められた許容値を超えた場合には、何等かの警報を発することを特徴とする請求項１ないし請求項６の何れか１項に記載の露点測定法。
【請求項８】
前記センサー部（３０、３０Ａ、３０Ｂ、３０Ｃ、３０Ｆ、３０Ｇ、３０Ｊ、３０Ｋ、３０Ｌ、３０Ｍ、３０Ｒ）から前記データー処理部（１０、１０Ａ、１０Ｂ）に温度と湿度の前記測定値を送るのに際し、温度を測定する温度センサー素子（４１）と湿度を測定する湿度センサー素子（４２）の各々に対応可能な補正番号（４３）も同時に送り、前記補正番号（４３）に対応した補正値によって温度と湿度の前記測定値を温度と湿度で別々に補正するものであることを特徴とする請求項１ないし請求項７の何れか１項に記載の露点測定法。
【請求項９】
温度を測定する温度センサー素子（４１）および湿度を測定する湿度センサー素子（４２）より成るセンサー機器（４０）と、接続するとデーターを送ることが可能な嵌合部（３２、３２Ａ、３２Ｂ）またはセンサー側コネクター（３９ａ）から構成されるセンサー部（３０、３０Ａ、３０Ｂ、３０Ｃ、３０Ｆ、３０Ｇ、３０Ｊ、３０Ｋ、３０Ｌ、３０Ｍ、３０Ｒ）、比較や演算を行うＣＰＵ（２１）および温度と湿度によって露点温度を示す露点温度テーブル（２４ａ）を持っている不揮発性メモリ（２４）および必要とする内容を表示する表示部（２２）および情報を入力することが出来る操作部（２３）より成るデーター処理部機器（２０）と、接続するとデーターを送ることが可能な嵌合部（１２、１２Ａ、１２Ｂ）またはデーター処理部側コネクター（３９ｂ）から構成されるデーター処理部（１０、１０Ａ、１０Ｂ）によって全体を構成し、前記センサー部（３０、３０Ａ、３０Ｂ、３０Ｃ、３０Ｆ、３０Ｇ、３０Ｊ、３０Ｋ、３０Ｌ、３０Ｍ、３０Ｒ）を構成している前記嵌合部（３２、３２Ａ、３２Ｂ）またはセンサー側コネクター（３９ａ）と前記データー処理部（１０、１０Ａ、１０Ｂ）を構成している前記嵌合部（１２、１２Ａ、１２Ｂ）またはデーター処理部側コネクター（３９ｂ）との間で分離可能であることを特徴とする露点計。
【請求項１０】
前記センサー部（３０、３０Ａ、３０Ｂ、３０Ｃ、３０Ｆ、３０Ｇ、３０Ｊ、３０Ｋ、３０Ｌ、３０Ｍ、３０Ｒ）は、単独で設置することが可能であり、従って前記センサー部（３０、３０Ａ、３０Ｂ、３０Ｃ、３０Ｆ、３０Ｇ、３０Ｊ、３０Ｋ、３０Ｌ、３０Ｍ、３０Ｒ）だけを複数の個所に設置することが可能であることを特徴とする請求項９に記載の露点計。
【請求項１１】
前記データー処理部（１０、１０Ａ、１０Ｂ）は、前記センサー部（３０、３０Ａ、３０Ｂ、３０Ｃ、３０Ｆ、３０Ｇ、３０Ｊ、３０Ｋ、３０Ｌ、３０Ｍ、３０Ｒ）と、前記嵌合部（１２、１２Ａ、１２Ｂ、３２、３２Ａ、３２Ｂ）を介して接続するとデーターを送ることが可能であることを特徴とする請求項９または請求項１０に記載の露点計。
【請求項１２】
前記データー処理部（１０、１０Ａ、１０Ｂ）は、前記センサー部（３０、３０Ａ、３０Ｂ、３０Ｃ、３０Ｆ、３０Ｇ、３０Ｊ、３０Ｋ、３０Ｌ、３０Ｍ、３０Ｒ）と、間接コネクター（３９）を介して接続するとデーターを送ることが可能であり、前記センサー部（３０、３０Ａ、３０Ｂ、３０Ｃ、３０Ｆ、３０Ｇ、３０Ｊ、３０Ｋ、３０Ｌ、３０Ｍ、３０Ｒ）は、前記データー処理部（１０、１０Ａ、１０Ｂ）により監視を含む集中制御することが可能であることを特徴とする請求項９または請求項１０に記載の露点計。
【請求項１３】
前記センサー部（３０、３０Ａ、３０Ｂ、３０Ｃ、３０Ｆ、３０Ｇ、３０Ｊ、３０Ｋ、３０Ｌ、３０Ｍ、３０Ｒ）は、圧縮空気配管（１０１、１０２、１０３、１０４）の上面に設置するものであることを特徴とする請求項９ないし請求項１２の何れか１項に記載の露点計。
【請求項１４】
前記センサー部（３０、３０Ａ、３０Ｂ、３０Ｃ、３０Ｆ、３０Ｇ、３０Ｊ、３０Ｋ、３０Ｌ、３０Ｍ、３０Ｒ）を構成している前記センサー部機器（４０）のうちの前記温度センサー素子（４１）と前記湿度センサー素子（４２）を近接して位置させ、同様に構成しているセンサー部本体（３１、３１Ｆ、３１Ｇ、３１Ｊ、３１Ｋ、３１Ｌ、３１Ｍ）は、管状であり、また先端に少なくとも一個の穴をあけていて、更に側面に少なくとも一個の通気口をあけているものであることを特徴とする請求項９ないし請求項１３の何れか１項に記載の露点計。
【請求項１５】
前記センサー部（３０、３０Ａ、３０Ｂ、３０Ｃ、３０Ｆ、３０Ｇ、３０Ｊ、３０Ｋ、３０Ｌ、３０Ｍ、３０Ｒ）の外側には、網状の保護部材（３３）を配設したものであることを特徴とする請求項９ないし請求項１４の何れか１項に記載の露点計。
【発明の詳細な説明】
【技術分野】
【０００１】  本発明は、露点測定法および露点計に関する技術であって、更に詳細に述べると、温度や湿度を測定するセンサー部と比較や演算を行いテーブルサーチする機能を持ったデーター処理部から構成され、特にセンサー部とデーター処理部が分離可能とした露点測定法および露点計に関する技術について述べたものである。
【背景技術】
【０００２】  従来、露点測定法および露点計に関する技術としては、鏡面冷却式露点計と、温度計と相対湿度計による組合せ式露点計が有った。【０００３】  この場合、鏡面冷却式露点計は、測定したい流路に小さい測定穴を設けて鏡を取り付ける。  そこで、鏡の温度を下げていき、鏡が曇るかどうか監視する。  そして、鏡が曇りはじめた温度が露点温度の値となる。【０００４】  また、温度計と相対湿度計による組合せ式露点計は、温度計で測定した温度と、湿度計で測定した湿度から、既知の演算式によって露点温度の値を計算することによって求めるものである。
【発明の開示】
【発明が解決しようとする課題】
【０００５】  しかしながら、このような従来の鏡面冷却式露点計と温度計とび相対湿度計による組合せ式露点計に関しては、以下に示すような課題があった。【０００６】  先ず、鏡面冷却式露点計は、装置が大型となり価格が高価であった。  また、応答が遅く取り扱いが不便であった。  特に、曇りの判断に対する個人差が出て、測定値にばらつきが有った。【０００７】  一方、温度計と相対湿度計による組合せ式露点計は、温度と相対湿度から露点温度の値を計算するには、複雑な計算式によって計算しなければならず、その為に演算可能なＣＰＵを搭載した機器が必要となり非常に高価であった。  また、温度計は、熱伝対型、白金抵抗式、サーミスタ等である程度の精度を確保出来るが、湿度計は、電気抵抗式、電気容量式によるものでは、精度、価格、測定可能範囲にそれぞれ難点があり、精度の良い物は非常に高価であった。【０００８】  従って、高価であるということで、常時測定対象物に露点計を取り付けて置くことが費用負担の増加になり、そこで測定の必要な時にだけ露点計を取り付けて測定を行うようにすると、装着の為の時間がかかると共に、測定が安定する迄に更に時間がかかるという問題があった。
【課題を解決するための手段】
【０００９】  本発明は、データー処理部１０、１０Ａ、１０Ｂに予め温度と湿度に対応させて露点温度を示す露点温度テーブル２４ａを準備し、センサー部３０、３０Ａ、３０Ｂ、３０Ｃ、３０Ｆ、３０Ｇ、３０Ｊ、３０Ｋ、３０Ｌ、３０Ｍ、３０Ｒで温度と湿度の測定値を求め、前記センサー部３０、３０Ａ、３０Ｂ、３０Ｃ、３０Ｆ、３０Ｇ、３０Ｊ、３０Ｋ、３０Ｌ、３０Ｍ、３０Ｒから前記データー処理部１０、１０Ａ、１０Ｂに温度と湿度の前記測定値を送り、その後前記データー処理部１０、１０Ａ、１０Ｂで温度と湿度の前記測定値から前記露点温度テーブル２４ａ上でテーブルサーチすることによって露点温度の値を求めることを特徴とし、更には、テーブルサーチは、温度と湿度の前記測定値から、前記露点温度テーブル２４ａに示されている温度と湿度の各値に最も近接した一点を確定し、その一点の温度と湿度に対応した露点温度の値を求めることを特徴とし、更には、テーブルサーチは、温度と湿度の前記測定値のうちの湿度の前記測定値から、前記露点温度テーブル２４ａに示されている湿度の値に最も近接した湿度の値を確定し、温度の前記測定値と確定した湿度の値から、前記露点温度テーブル２４ａに示されている温度と湿度の値に最も近接した二点を確定し、その二点の温度と湿度に対応した露点温度の値を求め、その二点の露点温度の値から比例配分によって温度の前記測定値と確定した湿度の値の露点温度の値を求めることを特徴とし、更には、テーブルサーチは、温度と湿度の前記測定値から、前記露点温度テーブル２４ａに示されている温度と湿度の値に最も近接した四点を確定し、その四点の温度と湿度に対応した露点温度の値を求め、その四点の露点温度の値から比例配分によって温度と湿度の前記測定値の露点温度の値を求めることを特徴とし、更には、前記センサー部３０、３０Ａ、３０Ｂ、３０Ｃ、３０Ｆ、３０Ｇ、３０Ｊ、３０Ｋ、３０Ｌ、３０Ｍ、３０Ｒと前記データー処理部１０、１０Ａ、１０Ｂは分離することが可能であり、前記センサー部３０、３０Ａ、３０Ｂ、３０Ｃ、３０Ｆ、３０Ｇ、３０Ｊ、３０Ｋ、３０Ｌ、３０Ｍ、３０Ｒと前記データー処理部１０、１０Ａ、１０Ｂを接続することが可能であることを特徴とし、更には、前記露点温度テーブル２４ａは、着脱可能な不揮発性メモリ２４に記憶させたものであり、前記不揮発性メモリ２４には、時系列的に温度と湿度の前記測定値をも併せて記憶することを特徴とし、更には、温度と湿度の前記測定値によって求めた露点温度の値が定められた許容値を超えた場合には、何等かの警報を発することを特徴とし、更には、前記センサー部３０、３０Ａ、３０Ｂ、３０Ｃ、３０Ｆ、３０Ｇ、３０Ｊ、３０Ｋ、３０Ｌ、３０Ｍ、３０Ｒから前記データー処理部１０、１０Ａ、１０Ｂに温度と湿度の前記測定値を送るのに際し、温度を測定する温度センサー素子４１と湿度を測定する湿度センサー素子４２の各々に対応可能な補正番号４３も同時に送り、前記補正番号４３に対応した補正値によって温度と湿度の前記測定値を温度と湿度で別々に補正するものであることを特徴とすることによって、上記課題を解決したのである。【００１０】  また、本発明は、温度を測定する温度センサー素子４１および湿度��測定する湿度センサー素子４２より成るセンサー機器４０と、接続するとデーターを送ることが可能な嵌合部３２、３２Ａ、３２Ｂまたはセンサー側コネクター３９ａから構成されるセンサー部３０、３０Ａ、３０Ｂ、３０Ｃ、３０Ｆ、３０Ｇ、３０Ｊ、３０Ｋ、３０Ｌ、３０Ｍ、３０Ｒ、比較や演算を行うＣＰＵ２１および温度と湿度によって露点温度を示す露点温度テーブル２４ａを持っている不揮発性メモリ２４および必要とする内容を表示する表示部２２および情報を入力することが出来る操作部２３より成るデーター処理部機器２０と、接続するとデーターを送ることが可能な嵌合部１２、１２Ａ、１２Ｂまたはデーター処理部側コネクター３９ｂから構成されるデーター処理部１０、１０Ａ、１０Ｂによって全体を構成し、前記センサー部３０、３０Ａ、３０Ｂ、３０Ｃ、３０Ｆ、３０Ｇ、３０Ｊ、３０Ｋ、３０Ｌ、３０Ｍ、３０Ｒを構成している前記嵌合部３２、３２Ａ、３２Ｂまたはセンサー側コネクター３９ａと前記データー処理部１０、１０Ａ、１０Ｂを構成している前記嵌合部１２、１２Ａ、１２Ｂまたはデーター処理部側コネクター３９ｂとの間で分離可能であることを特徴とし、更には、前記センサー部３０、３０Ａ、３０Ｂ、３０Ｃ、３０Ｆ、３０Ｇ、３０Ｊ、３０Ｋ、３０Ｌ、３０Ｍ、３０Ｒは、単独で設置することが可能であり、従って前記センサー部３０、３０Ａ、３０Ｂ、３０Ｃ、３０Ｆ、３０Ｇ、３０Ｊ、３０Ｋ、３０Ｌ、３０Ｍ、３０Ｒだけを複数の個所に設置することが可能であることを特徴とし、更には、前記データー処理部１０、１０Ａ、１０Ｂは、前記センサー部３０、３０Ａ、３０Ｂ、３０Ｃ、３０Ｆ、３０Ｇ、３０Ｊ、３０Ｋ、３０Ｌ、３０Ｍ、３０Ｒと、前記嵌合部１２、１２Ａ、１２Ｂ、３２、３２Ａ、３２Ｂを介して接続するとデーターを送ることが可能であることを特徴とし、更には、前記データー処理部１０、１０Ａ、１０Ｂは、前記センサー部３０、３０Ａ、３０Ｂ、３０Ｃ、３０Ｆ、３０Ｇ、３０Ｊ、３０Ｋ、３０Ｌ、３０Ｍ、３０Ｒと、間接コネクター３９を介して接続するとデーターを送ることが可能であり、前記センサー部３０、３０Ａ、３０Ｂ、３０Ｃ、３０Ｆ、３０Ｇ、３０Ｊ、３０Ｋ、３０Ｌ、３０Ｍ、３０Ｒは、前記データー処理部１０、１０Ａ、１０Ｂにより監視を含む集中制御することが可能であることを特徴とし、更には、前記センサー部３０、３０Ａ、３０Ｂ、３０Ｃ、３０Ｆ、３０Ｇ、３０Ｊ、３０Ｋ、３０Ｌ、３０Ｍ、３０Ｒは、圧縮空気配管１０１、１０２、１０３、１０４の上面に設置するものであることを特徴とし、更には、前記センサー部３０、３０Ａ、３０Ｂ、３０Ｃ、３０Ｆ、３０Ｇ、３０Ｊ、３０Ｋ、３０Ｌ、３０Ｍ、３０Ｒを構成している前記センサー部機器４０のうちの前記温度センサー素子４１と前記湿度センサー素子４２を近接して位置させ、同様に構成しているセンサー部本体３１、３１Ｆ、３１Ｇ、３１Ｊ、３１Ｋ、３１Ｌ、３１Ｍは、管状であり、また先端に少なくとも一個の穴をあけていて、更に側面に少なくとも一個の通気口をあけているものであることを特徴とし、更には、前記センサー部３０、３０Ａ、３０Ｂ、３０Ｃ、３０Ｆ、３０Ｇ、３０Ｊ、３０Ｋ、３０Ｌ、３０Ｍ、３０Ｒの外側に��、網状の保護部材３３を配設したものであることを特徴とすることによって、上記課題を解決したのである。
【発明の効果】
【００１１】  以上の説明から明らかなように、本発明によって、以下に示すような効果をあげることが出来る。【００１２】  第一に、データー処理部に予め温度と湿度に対応させて露点温度を示す露点温度テーブルを準備し、センサー部で温度と湿度の測定値を求め、センサー部からデーター処理部に温度と湿度の測定値を送り、その後データー処理部で温度と湿度の測定値から露点温度テーブル上でテーブルサーチすることによって露点温度の値を求めることによって、露点温度の計算が必要無くまたは簡単な計算だけで良く、従って高級なＣＰＵが不要となり、最終的に小型で安価な装置が可能となった。【００１３】  第二に、温度や湿度の測定値から、露点温度テーブルに示されている温度と湿度の値に最も近接した点を確定し、その点の温度と湿度に対応した露点温度の値を求め、その露点温度の値からその値自身または比例配分によって温度と湿度の測定値からの露点温度の値を求めることによって、補間して誤差を低減出来るので、測定精度の低下を最小限とすることが出来るようになった。【００１４】  第三に、温度を測定する温度センサー素子および湿度を測定する湿度センサー素子より成るセンサー機器と、接続するとデーターを送ることが可能な嵌合部またはセンサー側コネクターから構成されるセンサー部、比較や演算を行うＣＰＵおよび温度と湿度によって露点温度を示す露点温度テーブルを持っている不揮発性メモリおよび必要とする内容を表示する表示部および情報を入力することが出来る操作部より成るデーター処理部機器と、接続するとデーターを送ることが可能な嵌合部またはデーター処理部側コネクターから構成されるデーター処理部によって全体を構成し、センサー部を構成している嵌合部またはセンサー側コネクターとデーター処理部を構成している嵌合部またはデーター処理部側コネクターとの間で分離可能であることによって、専用の露点計として常に所定の場所に設定することも可能であり、圧縮空気配管に設置することも容易となった。【００１５】  第四に、温度と湿度に対応させて露点温度を示す露点温度テーブルとして離散的に不揮発性メモリに記憶することによって、メモリ容量を削減することが出来、安価な装置が可能となった。【００１６】  第五に、不揮発性メモリを使用することによって、ハードの変更なしで露点温度のデーターを変更することは容易となった。  一例として、Ａ装置の測定温度は０℃〜５０℃、Ｂ装置の測定温度は−２０℃〜３０℃であったとしても、不揮発性メモリのデーター内容を書き換えるだけで対応出来た。【００１７】  第六に、露点温度テーブルは、着脱可能な不揮発性メモリに記憶させたものであり、不揮発性メモリには、時系列的に温度と湿度の前記測定値をも併せて記憶することによって、パソコン等でこのデーターを処理することを可能にし、各測定値を分析したり圧縮空気の関連機器の運転状況を把握することが容易となった。【００１８】  第七に、温度と湿度の測定値によって求めた露点温度の値が定められた許容値を超えた場合には、何等かの警報を発することによって、異常に対しての早期の対応が可能となった。【００１９】  第八に、センサー部からデーター処理部に温度と湿度の測定値を送るのに際し���温度を測定する温度センサー素子と湿度を測定する湿度センサー素子の各々に対応可能な補正番号も同時に送り、補正番号に対応した補正値によって温度と湿度の測定値を温度と湿度で別々に補正するものであることによって、精度にバラツキの多いセンサーでも精度を心配することもなく使用することが可能となった。【００２０】  第九に、センサー部は、単独で設置することが可能であり、従ってセンサー部だけを複数の箇所に設置することが可能であることによって、常に安定した状態が確保されていて、測定を必要な所にデーター処理部を付加することが容易である為に、トータルコストを低減出来る様になった。【００２１】  第十に、データー処理部は、センサー部と、嵌合部を介して接続するとデーターを送ることが可能であることによって、圧縮空気配管に設置することが容易となった。  特に、センサー部は、圧縮空気が通る圧縮空気配管に設置する為に密閉構造とする必要があるが、一体の構造では対応が困難であった。【００２２】  第十一に、データー処理部は、センサー部と、間接コネクターを介して接続するとデーターを送ることが可能であり、センサー部は、データー処理部により監視を含む集中制御することが可能であることによって、安価な装置が可能となった。【００２３】  第十二に、センサー部は、圧縮空気配管の上面に設置することによって、配管内部に溜まるドレン水からの影響を防止出来る様になった。【００２４】  第十三に、センサー部を構成しているセンサー部機器のうちの温度センサー素子と湿度センサー素子を近接して位置させることによって、誤差の発生を出来る限り防止するようにした。【００２５】  第十四に、センサー部を構成しているセンサー部本体は、管状であることによって、測定精度を落とす事もなく、圧縮空気配管内の異物、塵等で破壊される事から防止出来る様になっている。【００２６】  第十五に、センサー部を構成しているセンサー部本体は、先端に少なくとも一個の穴をあけることによって、万一結露してドレン水を発生した場合でもこの穴から排出されるので、センサー部に対する影響を防止出来る様になっている。【００２７】  第十六に、センサー部を構成しているセンサー部本体は、側面に少なくとも一個の通気口をあけているものであることによって、早い時点に安定した状態を確保することが可能となった。【００２８】  第十七に、センサー部の外側には、網状の保護部材を配設したものであることによって、センサー部の破壊や目詰まりを防止出来る様になっている。
【発明を実施するための最良の形態】
【００２９】  以下、本発明の実施の形態を図面と共に詳細に説明する。
ここで、図１は、本願発明の露点計を圧縮空気配管に装着した斜視図であり、図２は、本願発明の露点計の全体図であり、図３は、本願発明の露点計を一体に接続するスライド式嵌合部を示した図であり、図４は、本願発明の露点計を一体に接続するネジ式嵌合部を示した図であり、図５は、本願発明の露点計を接続する間接コネクターを示した図であり、図６は、本願発明の露点計を構成しているセンサー部の長形空気口を示した図であり、図７は、本願発明の露点計を構成しているセンサー部の円形空気口を示した図であり、図８は、本願発明の露点計を構成しているセンサー部の三角錐状先端を示した図であり、図９は、本願発明の露点計を構成しているセンサー部の半球状先端を示した図であり、図１０は、本願発明の露点計を構成しているセンサー部のすり鉢状先端を示した図であり、図１１は、本願発明の露点計を構成しているセンサー部の三角状先端を示した図であり、図１２は、本願発明の露点計を構成しているセンサー部を覆っている保護部材を示した図であり、図１３は、本願発明の露点計を構成している複数のセンサー部を圧縮空気配管に装着した斜視図であり、図１４は、本願発明の露点計を構成している複数のセンサー部と圧力計を圧縮空気配管に装着した斜視図であり、図１５は、本願発明の露点計を構成している機器の基本構成系統図であり、図１６は、本願発明の露点計を構成している不揮発性メモリのデーターとしての露点温度テーブルを示した図であり、図１７は、本願発明の露点計を構成している機器と補正番号の基本構成系統図であり、図１８は、本願発明の露点計の補正番号入力説明図であり、図１９は、本願発明の露点計を構成している機器を拡張させた場合の構成系統図であり、図２０は、本願発明の露点計による露点温度の値を求めるルーチンであり、図２１は、本願発明の露点計を構成している不揮発性メモリに記憶されている露点温度テーブルであり、図２２は、本願発明の露点計による露点温度の値を求める要領を説明した図である。【００３０】  ［第一の実施例］
図１に見られるように、２００は露点計であって、圧縮空気１５１を流している圧縮空気配管１０１、１０２の途中に位置しているドライヤー５０の下流に配設している。  また、露点計２００は、圧縮空気配管１０２の上面に設置することで、圧縮空気１５１が露化することで圧縮空気配管１０１、１０２内部に溜まるドレン水の影響を防止するように配慮している。【００３１】  当然のことながら、露点計２００を圧縮空気配管１０２に配設した場合、圧縮空気１５１が洩れないようにシールされている必要はある。  また、露点計２００を配設する場所としては、圧縮空気配管１０１、１０２に限定する必要は無く、あらゆる場所での使用が可能である。【００３２】  この場合、図２に見られるように、露点計２００は、データー処理部１０とセンサー部３０より構成されている。  そして、データー処理部１０は、ケースの意味合いを持っているデーター処理部本体１１と接続するとデーターを送ることが可能な嵌合部１２とデーター処理部機器２０より構成され、データー処理部機器２０は、必要とする内容を表示する表示部２２と情報を入力することが出来る操作部２３と、後の図１５に見られる比較や演算を行うＣＰＵ２１と温度と湿度によって露点温度を示す露点温度テーブル２４ａを持っている不揮発性メモリ２４から成っている。【００３３】  更に、センサー部３０は、管状のセンサー部本体３１と嵌合部３２とセンサー部機器４０より構成されている。  ここで、センサー部本体３１の管状の意味としては、断面が円や楕円や正方形や長方形や六角形のもの等が考えられるが、その他の形状のものでも構わない。  尚、データー処理部１０とセンサー部３０は、嵌合部１２、３２で分離および接続が可能となっている。  従って、センサー部３０だけを圧縮空気配管１０２の上面に設置し、必要な時にセンサー部３０とデーター処理部１０の嵌合部１２、３２を接続するとデーターを送ることが可能となっているのである。【００３４】  ところで、データー処理部１０とセンサー部３０の嵌合部１２、３２で分離および接続を可能とさせる具体的な構造としては、図３に見られるようにデーター処理部１０Ａとセンサー部３０Ａの嵌合部１２Ａ、３２Ａの間を水平の方向にスライドさせることによって分離および接続をさせ、両者が接続すると、各嵌合部１２Ａ、３２Ａに形成されている電極およびデーター入力部１２ａ、３２ａの間でデーターを送ることが可能となっているのである。  尚、嵌合部１２、３２に関しては、色々な方法を含めた接続の手段が、全て含まれていると考えて良い。【００３５】  また、前述の分離および接続を可能とさせる具体的な別の構造としては、図４に見られるようにデーター処理部１０Ｂとセンサー部３０Ｂの嵌合部１２Ｂ、３２Ｂの間を螺合によって分離および接続させ、両者が接続すると、更に間接コネクター３９を構成しているセンサー側コネクター３９ａとデーター処理部側コネクター３９ｂを接続することによって、その間のデーターを送ることが可能となっているのである。  この場合、間接コネクター３９が分離してデーター処理部１０Ｂとセンサー部３０Ｂを構成することになる。  但し、スライド方式に間接コネクターを使用しても、螺合方式に電極��よびデーター入力部を形成させても構わない。【００３６】  尚、間接コネクター３９の他の応用例としては、図５に見られるようにセンサー部３０Ｃを分離したまま設置し、別の場所に設置しているデーター処理部１０、１０Ａ、１０Ｂとの間は、単に間接コネクター３９を構成しているセンサー側コネクター３９ａとデーター処理部側コネクター３９ｂを接続するだけでデーターを送ることが可能となっているのである。  従って、データー処理部１０、１０Ａ、１０Ｂには嵌合部１２、１２Ａ、１２Ｂを構成されている必要は無く、データー処理部本体１１とデーター処理部機器２０だけの構成で良いとも言える。【００３７】  一方、センサー部３０を構成しているセンサー部本体３１に関して述べると、図６に見られるように、センサー部３０Ｆを構成しているセンサー部本体３１Ｆに長形空気口３１Ｆａを形成したり、図７に見られるように、センサー部３０Ｇを構成しているセンサー部本体３１Ｇに円形空気口３１Ｇａを形成したりすることで、センサー部３０Ｆ、３０Ｇで露点温度を測定しようとする気体である圧縮空気１５１をセンサー部３０Ｆ、３０Ｇを構成しているセンサー部本体３１Ｆ、３１Ｇの内部に流入するようにしているのである。  尚、センサー部本体３１に関しては、長形や円形に限定されない何等かの形をした空気口を形成しているものであると考えると良い。【００３８】  所で、この様に長形空気口３１Ｆａや円形空気口３１Ｇａを形成することで、センサー部３０Ｆ、３０Ｇを構成しているセンサー部機器４０が、早い時点に安定した状態を確保するという効果をもたらしているのである。  当然のことながら、センサー部３０Ｆ、３０Ｇは、データー処理部１０、１０Ａ、１０Ｂと嵌合やコネクターを含む何等かの接続をすることで、その間でデーターを送ることが可能であるし、分離も容易である。【００３９】  更に、センサー部３０を構成しているセンサー部本体３１に関して別の観点から述べると、図８に見られるように、センサー部３０Ｊを構成しているセンサー部本体３１Ｊに三角錐状先端３１Ｊｘを形成したり、図９に見られるように、センサー部３０Ｋを構成しているセンサー部本体３１Ｋに半球状先端３１Ｋｘを形成したり、図１０に見られるように、センサー部３０Ｌを構成しているセンサー部本体３１Ｌにすり鉢状先端３１Ｌｘを形成したり、図１１に見られるように、センサー部３０Ｍを構成しているセンサー部本体３１Ｍに三角状先端３１Ｍｘを形成したりすることで、センサー部３０Ｊ、３０Ｋ、３０Ｌ、３０Ｍで露点温度を測定しようとする気体である圧縮空気１５１をセンサー部３０Ｊ、３０Ｋ、３０Ｌ、３０Ｍを構成しているセンサー部本体３１Ｊ、３１Ｋ、３１Ｌ、３１Ｍの内部に圧縮空気１５１が流入するようにしても、またドレン水が流入しても、容易に排出可能な構造となっているのである。【００４０】  尚、センサー部本体３１に関しては、ドレン水を容易に排出可能な何等かの先端を形成しているものであると考えると良い。  そして、センサー部本体３１Ｊ、３１Ｋ、３１Ｌ、３１Ｍに関しては、センサー部本体３１、３１Ｆ、３１Ｇを含め、先端付近に内部に流入したドレン水を排出する目的で、少なくとも一つの穴を形成している��【００４１】  所で、図１２に見られるように、センサー部３０Ｒ全体は、金網や他の材料で出来た網による保護部材３３で覆うことにより、異物や塵が圧縮空気配管１０１、１０２内に侵入してもセンサー部３０Ｒの内部に流入しないように配慮している。  当然のことながら、センサー部３１Ｊ、３１Ｋ、３１Ｌ、３１Ｍ、３０Ｒは、データー処理部１０、１０Ａ、１０Ｂと嵌合やコネクターを含む何等かの接続をすることで、その間でデーターを送ることが可能であるし、分離も容易である。【００４２】  一方、これまでの露点計２００の分離および接続を含め、接続するとデーターを送ることが可能という観点から見た嵌合部１２、１２Ａ、１２Ｂ、３２、３２Ａ、３２Ｂやカバー３２Ｃや間接コネクター３９の選択、圧縮空気１５１の流入という観点から見た長形空気口３１Ｆａや円形空気口３１Ｇａの選択、ドレン水の排出という観点から見た三角錐状先端３１Ｊｘや半球状先端３１Ｋｘやすり鉢状先端３１Ｌｘや三角状先端３１Ｍｘの選択、異物や塵の流入を防止するという観点から見た保護部材３３の配設の以上四種類の選択をするという点で、一番目の分離および接続と、二番目の空気口と、三番目の先端に関しては何れかのものを必ず選択することになるが、四番目の保護部材に関しては必要に応じて選択することが可能となっている。  但し、図２〜図１２の中には、例えば図７と図８を複合させた円形空気口と三角錐状先端を組み合わせた図は示されていないが、他の場合も含め適宜組合せ可能であると考えて良い。【００４３】  ここで、データー処理部１０を構成しているデーター処理部機器２０とセンサー部３０を構成しているセンサー部機器４０についてもう少し詳細に述べる。  この場合、図１５に見られるように機器の基本構成だけを示すと、センサー部機器４０は、温度を測定する温度計４１としての温度センサー素子４１と湿度を測定する湿度計４２としての湿度センサー素子４２から成っていて、データー処理部機器２０を構成しているＣＰＵ２１にデーターを送ることが出来るようになっている。  特に、温度センサー素子４１と湿度センサー素子４２に関しては、近接して位置していることが、誤差の発生を少なくさせる意味では大切なことである。【００４４】  また、ＣＰＵ２１には、操作部２３からの入力を受けたり、不揮発性メモリ２４からのデーターを読み込んだり、ＣＰＵ２１での処理結果を表示部２２に表示することを可能としている。  特に、不揮発性メモリ２４は着脱可能であり、一つの例として図１６や図２１に見られるように、温度と湿度に対応して露点温度を示した露点温度テーブル２４ａが、予め準備されていて必要に応じてＣＰＵ２１に送ることが出来るようになっていて、時系列的に温度と湿度の測定値や、場合によっては露点温度をも併せて記憶することが可能となっている。【００４５】  ここでは、図１５に具体的に図示していないが、センサー部機器４０とデーター処理部機器２０の境界となっている点線の部分に、電極およびデーター入力部１２ａ、３２ａや間接コネクター３９が位置することになる。【００４６】  尚、センサー部３０、３０Ａ、３０Ｂ、３０Ｃ、３０Ｆ、３０Ｇ、３０Ｊ、３０Ｋ、３０Ｌ、３０Ｍ、３０Ｒに関して、配管���上面に設置するとか、本体が管状であるとか、温度センサー素子４１と湿度センサー素子４２を近接させるとか、本体の側面に空気口を設けるという内容に関しては、全てに適用可能であると考えて良い。【００４７】  本発明による、露点測定法および露点計は前述したように構成されており、以下にその動作について説明する。【００４８】  先ず、図２に示すように、圧縮空気配管１０２に露点計２００を構成しているセンサー部３０、３０Ａ、３０Ｂ、３０Ｃ、３０Ｆ、３０Ｇ、３０Ｊ、３０Ｋ、３０Ｌ、３０Ｍ、３０Ｒだけを単独で設置する。  この場合、本願発明に於いては、データー処理部１０、１０Ａ、１０Ｂとセンサー部３０、３０Ａ、３０Ｂ、３０Ｃ、３０Ｆ、３０Ｇ、３０Ｊ、３０Ｋ、３０Ｌ、３０Ｍ、３０Ｒは容易に分離して設置することが可能であり、その後に接続するとデーターを送ることが可能な構成となっている為に、単独で設置することも全く問題無く、従って作業性も良く、その為の設置工事も容易に実施することが出来るようになっている。【００４９】  その場合、センサー部３０、３０Ａ、３０Ｂ、３０Ｃ、３０Ｆ、３０Ｇ、３０Ｊ、３０Ｋ、３０Ｌ、３０Ｍ、３０Ｒを設置した後にデーター処理部１０、１０Ａ、１０Ｂと接続する方法としては、嵌合部３２、３２Ａ、３２Ｂ、１２、１２Ａ、１２Ｂで嵌合させたり間接コネクター３９で接続させたりすることになる。【００５０】  ここで、本願発明の露点計による露点温度の値を求めるルーチンを、図２０によって詳細に説明する。【００５１】  初めに、［工程Ａ１］では、装置全体をスタートさせると、［工程Ａ２］では、露点計２００全体の装置が安定するまで待ち、［工程Ａ３］では、温度計４１である温度センサー素子４１によって温度測定を行い、［工程Ａ４］では、湿度計４２である湿度センサー素子４２によって湿度測定を行う。【００５２】  次に、［工程Ａ５］では、測定温度データーから不揮発性メモリ２４のデーターエリアをアクセスする。  この場合、簡便な方法によるものでは、例えば測定温度データーが２１．７℃の場合、図２１に見られる、不揮発性メモリ２４のデーターエリアを形成している露点温度テーブル２４ａの最も近接した温度である２２℃をテーブルサーチしてアクセスしている。【００５３】  更に、［工程Ａ６］では、このメモリのデーターエリアから測定湿度データー点アドレスをアクセスする。  この場合も、簡便な方法によるものでは、前の工程で求めた温度２２℃に加えて、例えば測定湿度データーが３６％の場合、図２１に見られる、不揮発性メモリ２４のデーターエリアを形成している露点温度テーブル２４ａの最も近接した湿度である３５％をテーブルサーチしてアクセスすることになり、温度２２℃と湿度３５％の点アドレスをアクセス可能としている。【００５４】  従って、［工程Ａ７］では、露点温度データーを取得出来るのである。  この場合、簡便な方法によるものでは、温度２２℃と湿度３５％の露点温度は、図２１に見られるように、Ｔ２２３５という値を得ることになる。【００５５】  所で、［工程Ａ８］では、表示部２２に露点温度データーを表示し、［工程Ａ９］では、露点温度は設定値範囲内かどうかを判断し、Ｎｏの場合に、［工程Ａ１０��では、警報表示を行った後に［工程Ａ１１］に進み、Ｙｅｓの場合に、［工程Ａ１１］では、測定時間間隔までウエイトの状態を保持し所定の時間に到達したら、再び［工程Ａ３］に進んでいるのである。【００５６】  尚、前述の露点温度を求める簡便な方法によるものは、図２２で見た場合、温度２１．７℃と湿度３６％の測定値から、露点温度テーブル２４ａの上に示されている温度と湿度の値の中で最も近接した一点（２２℃、３５％）を、テーブルサーチをすることで確定し、その結果によって確定した一点の露点温度の値Ｔ２２３５を求めているのである。  この様な方法に対しては、テーブルとしてのデーター量は多くなるが、安価なＣＰＵ２１を使用することが可能というな意味では有効なのである。【００５７】  当然のことながら、温度が１℃単位で湿度が５％単位の露点温度テーブル２４ａを使用して、温度が２１．７℃で湿度が３６％の測定値に対する露点温度を求めようとしたものであるが、露点温度テーブル２４ａの単位を変更することも、測定の粗さを変更することも可能である。  しかし、この様な方式を採用した場合には、温度と湿度に対応させて露点温度を示す露点温度テーブル２４ａの上の温度と湿度に対応した点の集まりの中で、温度と湿度の測定値が露点温度テーブル２４ａの上のどの点に最も近接しているかテーブルサーチすることで確定しているので、露点温度テーブル２４ａの温度の単位を、例えば１℃から０．５℃に更に０．１℃と小さい単位に、更に湿度の単位を、例えば５％から２％に更に１％と小さい単位にすることは、点の間隔が狭まり露点温度の値がより正確さを増すということから特に有効である。【００５８】  また、露点温度を求める別の方法によるものとしては、温度と湿度の測定値のうちの湿度の測定値から、露点温度テーブル２４ａに示されている湿度の値に最も近接した湿度の値をテーブルサーチすることで確定し、温度の測定値と確定した湿度の値から、露点温度テーブル２４ａに示されている温度と湿度の値に最も近接した二点をテーブルサーチすることで確定し、その二点の温度と湿度に対応した露点温度の値を求め、その二点の露点温度の値から比例配分によって露点温度の値を求めているのである。【００５９】  この事を、もう少し具体的に述べると、温度が２１．７℃で湿度が３６％の測定値の場合、図２１と図２２に見られる、露点温度テーブル２４ａに示されている湿度の値に最も近接した湿度の値である３５％を確定し、温度の測定値と確定した湿度の値から、露点温度テーブル２４ａに示されている温度と湿度の値に最も近接した二点（２１℃、３５％）（２２℃、３５％）を確定し、その二点の温度と湿度に対応した露点温度の値Ｔ２１３５、ｔ２２３５を求め、その二点の露点温度の値から比例配分によって露点温度の値を求めているのである。  一言で述べると、（２１．７℃、３５％）に対応する露点温度の値を求めようとしているのである。【００６０】  その結果として、その二点の露点温度の値から比例配分によって、下記［数式１］に見られる、温度が２１．７℃の露点温度の値を求めることが出来るのである。
【数式１】
温度が２１．７℃で湿度３５％の露点温度の値
＝（３Ｔ２１３５＋７Ｔ２２３５）／１０
【００６１】  尚、今回の場合は、温度が１℃単位で湿度が５％単位の露点温度テーブル２４ａを使用して、温度が２１．７℃で湿度が３６％の測定値に対する露点温度を求めようとしたものであるが、露点温度テーブル２４ａの単位を変更することも、測定の粗さを変更することも可能である。  この場合、この様な計算方式を採用した場合には、露点温度テーブル２４ａの湿度の単位を、例えば５％から２％に更に１％と小さい単位にすることは非常に有効である。  この場合、［数式１］としては、温度が２１．７℃で湿度が３６％に限定した一点の特定の温度と湿度の露点温度しか示していないが、当然のことながら露点温度テーブル２４ａに近接する点が存在するという前提で同様な形でその他の点（ｘｘ℃、ｙｙ％）の値から比例配分によって露点温度Ｔｘｘｙｙを求めることは可能であるし、測定の粗さも露点温度テーブル２４ａに合わすことが出来ると効果的である。
【００６２】  更に、露点温度を求める最も詳細な方法としては、温度と湿度の前記測定値から、露点温度テーブル２４ａに示されている温度と湿度の値に最も近接した四点をテーブルサーチすることで確定し、その四点の温度と湿度に対応した露点温度の値を求め、その四点の露点温度の値から比例配分によって露点温度の値を求めているものである。
【００６３】  この事を、もう少し具体的に述べると、温度が２１．７℃で湿度が３６％の測定値の場合、図２１と図２２に見られる、露点温度テーブル２４ａに示されている温度と湿度の値に最も近接した四点（２１℃、３５％）（２２℃、３６％）（２１℃、４０％）（２２℃、４０％）を確定し、その四点の温度と湿度に対応した露点温度の値Ｔ２１３５、Ｔ２２３５、Ｔ２１４０、Ｔ２２４０を求めることが出来る。
【００６４】  その結果を利用して、二点（２１℃、３５％）（２１℃、４０％）の露点温度Ｔ２１３５、Ｔ２１４０の値から比例配分によって、下記［数式２］に見られる、図２２の◎の点の位置を示している、温度が２１℃で湿度３６％の露点温度の値であるＴ２１３６を求めることが出来るのである。
【数式２】
温度が２１℃で湿度３６％の露点温度の値Ｔ２１３６
＝（４Ｔ２１３５＋Ｔ２１４０）／５
【００６５】  更に、二点（２２℃、３５％）（２２℃、４０％）の露点温度Ｔ２２３５、Ｔ２２４０の値から比例配分によって、下記［数式３］に見られる、図２２の◎の点の位置を示している、温度が２２℃で湿度３６％の露点温度の値であるＴ２２３６を求めることが出来るのである。
【数式３】
温度が２２℃で湿度３６％の露点温度の値Ｔ２２３６
＝（４Ｔ２２３５＋Ｔ２２４０）／５
【００６６】  最終的には、二点（２１℃、３６％）（２２℃、３６％）の露点温度Ｔ２１３６、Ｔ２２３６の値から比例配分によって、下記［数式４］に見られる、図２２の○の点の位置を示している、温度が２１．７℃で湿度３６％の露点温度の値を求めることが出来るのである。
【数式４】
温度が２１．７℃で湿度３６％の露点温度の値
＝（３Ｔ２１３６＋７Ｔ２２３６）／１０
＝（１２Ｔ２１３５＋３Ｔ２１４０＋２８Ｔ２２３５＋７Ｔ２２４０）／５０
【００６７】  尚、今回の場合は、温度が１℃単位で湿度が５％単位の露点温度テーブル２４ａを使用して、温度が２１．７℃で湿度が３６％の測定値に対する露点温度を求めようとしたものであるが、露点温度テーブル２４ａの単位を変更することも、測定の粗さを変更することも可能である。  この場合、この様な計算方式を採用した場合には、露点温度テーブル２４ａの温度の単位を、例えば１℃から２℃に更に５℃と大きい単位に、更に湿度の単位を、例えば５％から１０％に更に２０％と大きい単位にすることも可能である。  当然のことながら、温度の単位と湿度の単位、共にまたは一方だけを小さい単位にすることも構わない。  この場合、［数式２、３、４］としては、温度が２１．７℃で湿度が３６％に限定した一点の特定の温度と湿度の露点温度しか示していないが、当然のことながら露点温度テーブル２４ａに近接する点が存在するという前提で同様な形でその他の点（ｘｘ℃、ｙｙ％）の値から比例配分によって露点温度Ｔｘｘｙｙを求めることは可能であるし、測定の粗さも露点温度テーブル２４ａに合わすことが出来ると効果的である。
【００６８】  ここで、今迄説明した温度が２１．７℃と湿度が３６％の測定値から露点温度を求める三つの方法を図２２の上で集約すると同じ露点温度テーブル２４ａを使用した場合には、一点による場合は（２２℃、３５％）、二点による場合は（２１．７℃、３５％）、四点による場合は（２１．７℃、３６％）の値を求めることになる。  但し、どの方法を選択するかは、テーブルサーチや演算する能力、テーブルのボリューム、露点温度の必要とする精度によって決めることになる。
【００６９】  この様にして、センサー部３０よりデーター処理部１０に送り込まれた温度と湿度の測定値は、露点温度の値を求めながら不揮発性メモリ２４に時系列的に温度と湿度の測定値をも併せて記憶している。
【００７０】［第二の実施例］
先ず、図１３に見られるように、２００は露点計であって、図２に見られるように、データー処理部１０とセンサー部３０より構成されていて、露点計２００に加えてセンサー部３０だけを圧縮空気配管１０１、１０３、１０４に複数配設している。  また、露点計２００とセンサー部３０は全て、圧縮空気配管１０１、１０３、１０４の上面に設置することで、圧縮空気１５１が露化することで圧縮空気配管１０１、１０３、１０４の内部に溜まるドレン水の影響を防止するように配慮している。
【００７１】  従って、一つの装置で、一組のデーター処理部１０と複数のセンサー部３０を使用することになり、その内の一組のデーター処理部１０と一組のセンサー部３０で露点計２００を構成していることになるのである。  当然のことながら、データー処理部１０の代わりにデーター処理部１０Ａ、１０Ｂを使用したり、センサー部３０の代わりにセンサー部３０Ａ、３０Ｂ、３０Ｃ、３０Ｆ、３０Ｇ、３０Ｊ、３０Ｋ、３０Ｌ、３０Ｍ、３０Ｒを使用することは構わない。  但し、データー処理部１０は一組に限定する必要は無く複数組の構成ということも考えることは出来る。
【００７２】  この場合、一つの装置で複数のセンサー部３０を使用しているので、装置全体の測定精度を確保しようとするには、当然のことながら使用している各センサー素子について個々の全てに関して測定精度を合わせたいということになるが、数あるセンサー素子全ての測定精度を合わせようとすると大幅にコストアップするという問題があった。そして、個々の測定結果を見ると、一つの傾向として正しいと予測される値に比較して、常に高い数値や低い数値を示していた。
【００７３】  そこで、本願発明に於いては、図１７や図１８で見られるように補正番号４３によって対応したのである。
【００７４】  ここで、補正番号４３の目的とするところは、個々のセンサー素子から見た前述の傾向に対処することが可能なように、複数あるセンサー部３０の各々を成している温度を測定する温度センサー素子４１と湿度を測定する湿度センサー素子４２の個々について何等かの数値を加減することによって配慮しようとしているのである。  そこで、例えば、図１３の圧縮空気配管１０１に設置しているセンサー部３０が、図１８のセンサーＡが設置されていると仮定した場合には、センサーＡからは温度センサー素子４１や湿度センサー素子４２からの情報と同時に補正番号４３として「Ａ」という情報がデーター処理部１０に送り込まれるようになっているのである。
【００７５】  この場合、補正番号４３の「Ａ」という情報は、温度センサー素子４１と湿度センサー素子４２の両方に関するものであって、例えば「Ａ」という情報の内容の一つの例としては、「温度センサー素子４１の情報は常に０．１℃加算し」、「湿度センサー素子４２の情報は常に０．２％加算すると」いう内容のものを予め補正番号テーブルという形で不揮発性メモリ２４に「Ａ」という情報に対応させてインプットしているのである。
【００７６】  従って、センサーＡからの「Ａ」という情報がデーター処理部１０に送り込まれるとセンサーＡの特性を加味して全ての測定値に必ず０．１℃や０．２％加算する補正を行っているのである。  尚、補正番号テーブルには、「Ａ」「Ｂ」「Ｃ」「Ｄ」・・・という形で、使用しているセンサー部３０の数に一致させて情報をインプットしていることになる。  但し、使用しているセンサー部３０の数に一致させて補正を必要としない場合も登録するという前述の考えに対し、補正を必要とするセンサー部３０だけに限定することも考えられる。
【００７７】  ところで、「温度センサー素子４１の情報は常に０．１℃加算し」という意味は、センサーＡからの全ての温度に関する測定値に０．１℃加算するということを意味しているものであり、湿度センサー素子４２に関しても同様な内容を意味している。  この場合、減算という内容のものがあっても構わない。
【００７８】  そして、もし図１３の圧縮空気配管１０１に設置しているセンサー部３０が、図１８のセンサーＢが設置されていると仮定した場合には、センサーＢからは温度センサー素子４１や湿度センサー素子４２からの情報と同時に補正番号４３として「Ｂ」という情報が来るようになっているのである。
【００７９】  尚、補正番号４３と補正番号テーブルの関係に関して別の方法を述べると、補正番号４３としてセンサーＡから例えば「１、１」のような二つの内容を示す情報をデーター処理部１０に送り、前半の「１」は温度センサー素子４１に関する情報で補正番号テーブルによって常に０．１℃加算を行うものと判断し、後半の「１」は湿度センサー素子４２に関する情報で補正番号テーブルによって常に０．２％加算を行うものと判断するようなものが考えられる。
【００８０】  この場合、補正番号テーブルとしては、温度センサー素子４１に関して「１：０．１℃加算、２：０．２℃加算、・・・、６：０．１℃減算、・・・」、湿度センサー素子４２に関して「１：０．２％加算、２：０．４％加算、・・・、６：０．２％減算、・・・」のような内容のものが、一つの例として考えられる。
【００８１】  一方、データー処理部１０、１０Ａ、１０Ｂと複数のセンサー部３０、３０Ａ、３０Ｂ、３０Ｃ、３０Ｆ、３０Ｇ、３０Ｊ、３０Ｋ、３０Ｌ、３０Ｍ、３０Ｒの間に関しては接続することで嵌合部１２、１２Ａ、１２Ｂ、３２、３２Ａ、３２Ｂを介してデーターを送ることが可能となっている。  また、データー処理部１０、１０Ａ、１０Ｂと複数のセンサー部３０、３０Ａ、３０Ｂ、３０Ｃ、３０Ｆ、３０Ｇ、３０Ｊ、３０Ｋ、３０Ｌ、３０Ｍ、３０Ｒの間に関しては接続することで間接コネクター３９を介してデーターを送ることが可能となっている。  尚、接続に関しては、嵌合部１２、１２Ａ、１２Ｂ、３２、３２Ａ、３２Ｂによるものと間接コネクター３９によるものを混合することも考えられる。
【００８２】  この場合、一つのデーター処理部１０、１０Ａ、１０Ｂだけによって、全てのセンサー部３０、３０Ａ、３０Ｂ、３０Ｃ、３０Ｆ、３０Ｇ、３０Ｊ、３０Ｋ、３０Ｌ、３０Ｍ、３０Ｒからの温度と湿度の測定値を受けたり、露点温度の値を求めたり、表示したり、警告を発したり、不揮発メモリ２４に記憶したりすることで、異常なセンサーや、各センサーによって露点温度の値を求めることでドライヤー５０を含む各種機器の異常や、センサーの値そのものの監視を含む、全てのセンサー部３０、３０Ａ、３０Ｂ、３０Ｃ、３０Ｆ、３０Ｇ、３０Ｊ、３０Ｋ、３０Ｌ、３０Ｍ、３０Ｒの集中制御をも可能としているのである。  尚、データー処理部１０、１０Ａ、１０Ｂに関しては、必要とすれば複数の場合も考えられるし、その場合には、主とするものと従とするものを使い分けることも出来るのである。
【００８３】  ここで、第一の実施例で説明した、データー処理部１０、１０Ａ、１０Ｂや、センサー部３０、３０Ａ、３０Ｂ、３０Ｃ、３０Ｆ、３０Ｇ、３０Ｊ、３０Ｋ、３０Ｌ、３０Ｍ、３０Ｒ等の機器単独の構成に関しては、第一の実施例で説明した内容と同一のもになるので省略する。
【００８４】  本発明による、露点測定法および露点計は前述したように構成されており、以下にその動作について説明する。
【００８５】  ここで、第一の実施例で説明した、データー処理部１０、１０Ａ、１０Ｂや、センサー部３０、３０Ａ、３０Ｂ、３０Ｃ、３０Ｆ、３０Ｇ、３０Ｊ、３０Ｋ、３０Ｌ、３０Ｍ、３０Ｒ等の機器単独の動作や、露点温度の値を求める方法に関しては、第一の実施例で説明した内容と同一のもになるので省略する。
【００８６】  特に、第一の実施例と異なる点は、データー処理部１０、１０Ａ、１０Ｂと、センサー部３０、３０Ａ、３０Ｂ、３０Ｃ、３０Ｆ、３０Ｇ、３０Ｊ、３０Ｋ、３０Ｌ、３０Ｍ、３０Ｒは容易に分離し接続することが可能であり、更に接続することでデーターを送ることも可能であり、センサー部３０、３０Ａ、３０Ｂ、３０Ｃ、３０Ｆ、３０Ｇ、３０Ｊ、３０Ｋ、３０Ｌ、３０Ｍ、３０Ｒは単体で機密性を保持している為に、複数のセンサー部３０、３０Ａ、３０Ｂ、３０Ｃ、３０Ｆ、３０Ｇ、３０Ｊ、３０Ｋ、３０Ｌ、３０Ｍ、３０Ｒに対して最低一つ以上のデーター処理部１０、１０Ａ、１０Ｂを接続して、温度や湿度の測定値を受け、そのデーターによって露点温度を求め、その結果を表示したり、その結果によって警告を発したり、不揮発性メモリ２４に記憶したりして、監視を含む集中制御を行っているのである。
【００８７】  しかしながら、センサー部３０、３０Ａ、３０Ｂ、３０Ｃ、３０Ｆ、３０Ｇ、３０Ｊ、３０Ｋ、３０Ｌ、３０Ｍ、３０Ｒを構成しているセンサー部機器４０の温度センサー素子４１や湿度センサー素子４２に関しては、測定精度に多少のばらつきが有る。  この場合、センサー単位でこのばらつきを押さえると大幅なコストアップとなる為に、本願発明に於いては、センサー部３０、３０Ａ、３０Ｂ、３０Ｃ、３０Ｆ、３０Ｇ、３０Ｊ、３０Ｋ、３０Ｌ、３０Ｍ、３０Ｒからの温度や湿度の測定値に合わせて補正番号４３を送り込むことで、各センサー毎に測定値を補正しよとしているのである。
【００８８】［第三の実施例］
先ず、図１４に見られるように、２００は露点計であって、図２に見られるように、データー処理部１０とセンサー部３０より構成されていて、露点計２００に加えて圧力計６０とセンサー部３０だけを圧縮空気配管１０１、１０３、１０４に複数配設している。  また、露点計２００とセンサー部３０は全て、圧縮空気配管１０１、１０３、１０４の上面に設置することで、圧縮空気１５１が露化することで圧縮空気配管１０１、１０３、１０４の内部に溜まるドレン水の影響を防止するように配慮している。
【００８９】  従って、複数のセンサー部３０、３０Ａ、３０Ｂ、３０Ｃ、３０Ｆ、３０Ｇ、３０Ｊ、３０Ｋ、３０Ｌ、３０Ｍ、３０Ｒに対して最低一つ以上のデーター処理部１０、１０Ａ、１０Ｂを接続しているという点に関しては第二の実施例と同じであり、更に圧力計６０を接続しているということである。
【００９０】  この事をもう少し詳細に述べると、図１９に見られるように、第三の実施例に於けるデーター処理部機器２０は、ＣＰＵ２１と表示部２２と操作部２３と不揮発性メモリ２４と、その他に警告燈や警報器に接続している警報送出部２５よパソコンに接続している２６のＲＳ２３２を構成している。  また、ＣＰＵ２１には、センサー部機器４０からデーターが送り込まれるのに加えて、圧力計６０や周囲温度計７０からもデーターが送り込まれるようになっている。
【００９１】  更に、第一の実施例や第二の実施例にも言えることであるが、データー処理部機器２０より外部の電源８０からは、スィッチ２８と安定化部２７を経由して、ＣＰＵ２１と表示部２２と操作部２３と不揮発性メモリ２４と警報送出部２５と２６のＲＳ２３２とセンサー部機器４０と圧力計６０と周囲温度計７０に接続するようになっている。
【００９２】  この様な構成によって、例えば圧力計６０からの圧力データーや周囲温度計７０からの周辺温度データーによって更に別の要素を加味した精度の高い露点温度情報を得ることが出来るのである。  合わせて、圧力異常等の警報送出も出来る為、非常にコストパフォーマンスの良いシステムが提供出来るようになったのである。
【００９３】  また、２６のＲＳ２３２によってパソコンとのインターフェースを具備することにより、温度や湿度や露点温度等の時系列データーを取得表示することが出来、運用や保守管理に有効なデーターを提供出来るようになった。
【産業上の利用可能性】
【００９４】  圧縮空気が使用されている機械製造や電気精密機器製造や粉体輸送や化学工業等で、圧縮空気に含まれている水分が特に製品の品質影響を与える分野に適用されるものである。
【図面の簡単な説明】
【００９５】
【図１】  本願発明の露点計を圧縮空気配管に装着した斜視図
【図２】  本願発明の露点計の全体図
【図３】  本願発明の露点計を一体に接続するスライド式嵌合部を示した図
【図４】  本願発明の露点計を一体に接続するネジ式嵌合部を示した図
【図５】  本願発明の露点計を接続する間接コネクターを示した図
【図６】  本願発明の露点計を構成しているセンサー部の長形空気口を示した図
【図７】  本願発明の露点計を構成しているセンサー部の円形空気口を示した図
【図８】  本願発明の露点計を構成しているセンサー部の三角錐状先端を示した図
【図９】  本願発明の露点計を構成しているセンサー部の半球状先端を示した図
【図１０】  本願発明の露点計を構成しているセンサー部のすり鉢状先端を示した図
【図１１】  本願発明の露点計を構成しているセンサー部の三角状先端を示した図
【図１２】  本願発明の露点計を構成しているセンサー部を覆っている保護部材を示した図
【図１３】  本願発明の露点計を構成している複数のセンサー部を圧縮空気配管に装着した斜視図
【図１４】  本願発明の露点計を構成している複数のセンサー部と圧力計を圧縮空気配管に装着した斜視図
【図１５】  本願発明の露点計を構成している機器の基本構成系統図
【図１６】  本願発明の露点計を構成している不揮発性メモリのデーターとしての露点温度テーブルを示した図
【図１７】  本願発明の露点計を構成している機器と補正番号の基本構成系統図
【図１８】  本願発明の露点計の補正番号入力説明図
【図１９】  本願発明の露点計を構成している機器を拡張させた場合の構成系統図
【図２０】  本願発明の露点計による露点温度の値を求めるルーチン
【図２１】  本願発明の露点計を構成している不揮発性メモリに記憶されている露点温度テーブル
【図２２】  本願発明の露点計による露点温度の値を求める要領を説明した図
【符号の説明】
【００９６】  １０・・・・・・データー処理部
１０Ａ・・・・・データー処理部
１０Ｂ・・・・・データー処理部
１１・・・・・・データー処理部本体
１２・・・・・・嵌合部
１２Ａ・・・・・嵌合部
１２Ｂ・・・・・嵌合部
１２ａ・・・・・電極およびデーター入力部
２０・・・・・・データー処理部機器
２１・・・・・・ＣＰＵ
２２・・・・・・表示部
２３・・・・・・操作部
２４・・・・・・不揮発性メモリ
２４ａ・・・・・露点温度テーブル
２５・・・・・・警報送出部
２６・・・・・・ＲＳ２３２
２７・・・・・・安定化部
２８・・・・・・スイッチ
３０・・・・・・センサー部
３０Ａ・・・・・センサー部
３０Ｂ・・・・・センサー部
３０Ｃ・・・・・センサー部
３０Ｆ・・・・・センサー部
３０Ｇ・・・・・センサー部
３０Ｊ・・・・・センサー部
３０Ｋ・・・・・センサー部
３０Ｌ・・・・・センサー部
３０Ｍ・・・・・センサー部
３０Ｒ・・・・・センサー部
３１・・・・・・センサー部本体
３１Ｆ・・・・・センサー部本体
３１Ｆａ・・・・長形空気口
３１Ｇ・・・・・センサー部本体
３１Ｇａ・・・・円形空気口
３１Ｊ・・・・・センサー部本体
３１Ｊｘ・・・・三角錐状先端
３１Ｋ・・・・・センサー部本体
３１Ｋｘ・・・・半球状先端
３１Ｌ・・・・・センサー部本体
３１Ｌｘ・・・・すり鉢状先端
３１Ｍ・・・・・センサー部本体
３１Ｍｘ・・・・三角状先端
３２・・・・・・嵌合部
３２Ａ・・・・・嵌合部
３２Ｂ・・・・・嵌合部
３２Ｃ・・・・・カバー
３２ａ・・・・・電極およびデーター入力部
３３・・・・・・保護部材
３９・・・・・・間接コネクター
３９ａ・・・・・センサー側コネクター
３９ｂ・・・・・データー処理部側コネクター
４０・・・・・・センサー部機器
４１・・・・・・温度計（温度センサー素子）
４２・・・・・・湿度計（湿度センサー素子）
４３・・・・・・補正番号
５０・・・・・・ドライヤー
６０・・・・・・圧力計
７０・・・・・・周囲温度計
８０・・・・・・電源
１０１・・・・・圧縮空気配管
１０２・・・・・圧縮空気配管
１０３・・・・・圧縮空気配管
１０４・・・・・圧縮空気配管
１５１・・・・・圧縮空気
２００・・・・・露点計
【図１】
2007114166.tif 000003
【図２】
2007114166.tif 000004
【図３】
2007114166.tif 000005
【図４】
2007114166.tif 000006
【図５】
2007114166.tif 000007
【図６】
2007114166.tif 000008
【図７】
2007114166.tif 000009
【図８】
2007114166.tif 000010
【図９】
2007114166.tif 000011
【図１０】
2007114166.tif 000012
【図１１】
2007114166.tif 000013
【図１２】
2007114166.tif 000014
【図１３】
2007114166.tif 000015
【図１４】
2007114166.tif 000016
【図１５】
2007114166.tif 000017
【図１６】
2007114166.tif 000018
【図１７】
2007114166.tif 000019
【図１８】
2007114166.tif 000020
【図１９】
2007114166.tif 000021
【図２０】
2007114166.tif 000022
【図２１】
2007114166.tif 000023
【図２２】
2007114166.tif 000024